【手続補正書】
【提出日】平成18年1月6日(2006.1.6)
【手続補正１】
【補正対象書類名】明細書
【補正対象項目名】発明の名称
【補正方法】変更
【補正の内容】
【発明の名称】記録システム、記録装置、記録方法、記録位置設定方法、プログラム、および記憶媒体
【手続補正２】
【補正対象書類名】明細書
【補正対象項目名】特許請求の範囲
【補正方法】変更
【補正の内容】
【特許請求の範囲】
【請求項１】  記録データに基づいて被記録媒体に画像を記録する記録装置と、前記記録装置を制御する制御装置と、を含む記録システムにおいて、
前記記録装置に供給される前記被記録媒体のサイズを現実サイズとして入力する入力手段と、
前記記録装置または前記制御装置の少なくとも一方に備えられて、前記記録データの大きさに対応する原稿サイズと前記被記録媒体の現実サイズとに基づいて、前記記録データに基づく画像の記録位置を前記被記録媒体の現実サイズの領域内において設定する設定手段と、
を備えることを特徴とする記録システム。
【請求項２】  前記入力手段は、前記記録装置に現実にセットされた前記被記録媒体のサイズを検出する検出部を含むことを特徴とする請求項１に記載の記録システム。
【請求項３】  前記設定手段は、前記被記録媒体の現実サイズの領域内において、前記記録データに基づく画像の記録位置のセンタリング、左寄せ、右寄せ、上寄せ、下寄せ、またはオフセットの内の少なくとも１つを設定することを特徴とする請求項１または２に記載の記録システム。
【請求項４】  前記設定手段は、前記制御装置に備えられた第１設定部と、前記記録装置に備えられた第２設定部とを含み、
前記第１設定部は、前記原稿サイズと前記制御装置によって指定された被記録媒体の指定サイズとに基づいて、前記記録データに基づく画像の記録位置を前記指定サイズの領域内において設定し、
前記第２設定部は、前記指定サイズの領域内に設定された前記画像の記録位置と、前記被記録媒体の現実サイズとに基づいて、前記記録データに基づく画像の記録位置を前記現実サイズの領域内において設定する
ことを特徴とする請求項１から３のいずれかに記載の記録システム。
【請求項５】  前記制御装置は、前記記録データを作成するアプリケーションと、前記記録装置を制御するドライバと、を含むことを特徴とする請求項１から４のいずれかに記載の記録システム。
【請求項６】  記録データに基づいて被記録媒体に画像を記録する記録装置において、
前記記録装置に供給される前記被記録媒体のサイズを現実サイズとして入力する入力手段と、
前記記録データの大きさに対応する原稿サイズと前記被記録媒体の現実サイズとに基づいて、前記記録データに基づく画像の記録位置を前記被記録媒体の現実サイズの領域内において設定する設定手段と、
を備えることを特徴とする記録装置。
【請求項７】  前記入力手段は、前記記録装置に現実にセットされた前記被記録媒体のサイズを検出する検出部を含むことを特徴とする請求項６に記載の記録装置。
【請求項８】  前記設定手段は、前記被記録媒体の現実サイズの領域内において、前記記録データに基づく画像の記録位置のセンタリング、左寄せ、右寄せ、上寄せ、下寄せ、またはオフセットの内の少なくとも１つを設定することを特徴とする請求項６または７に記載の記録装置。
【請求項９】  前記設定手段は、第１設定部と第２設定部とを含み、
前記第１設定部は、前記原稿サイズと指定された被記録媒体の指定サイズとに基づいて、前記記録データに基づく画像の記録位置を前記指定サイズの領域内において設定し、
前記第２設定部は、前記指定サイズの領域内に設定された前記画像の記録位置と、前記被記録媒体の現実サイズとに基づいて、前記記録データに基づく画像の記録位置を前記現実サイズの領域内において設定する
ことを特徴とする請求項６から８のいずれかに記載の記録装置。
【請求項１０】  記録データに基づいて被記録媒体に画像を記録する記録方法において、
前記記録装置に供給される前記被記録媒体のサイズを現実サイズとして入力し、
前記記録データの大きさに対応する原稿サイズと前記被記録媒体の現実サイズとに基づいて、前記記録データに基づく画像の記録位置を前記被記録媒体の現実サイズの領域内において設定する
ことを特徴とする記録方法。
【請求項１１】  記録データに基づいて被記録媒体に記録する画像の記録位置を設定する記録位置設定方法において、
前記記録装置に供給される前記被記録媒体のサイズを現実サイズとして入力し、
前記記録データの大きさに対応する原稿サイズと前記被記録媒体の現実サイズとに基づいて、前記記録データに基づく画像の記録位置を前記被記録媒体の現実サイズの領域内において設定する
ことを特徴とする記録位置設定方法。
【請求項１２】  記録データに基づいて被記録媒体に記録する画像の記録位置を設定するためのプログラムであって、
前記記録装置に供給される前記被記録媒体のサイズを現実サイズとして入力する工程と、
前記記録データの大きさに対応する原稿サイズと前記被記録媒体の現実サイズとに基づいて、前記記録データに基づく画像の記録位置を前記被記録媒体の現実サイズの領域内において設定する工程と、
をコンピュータに実行させることを特徴とするプログラム。
【請求項１３】  請求項１２のプログラムが格納された、コンピュータにより読み取り可能な記憶媒体。
【手続補正３】
【補正対象書類名】明細書
【補正対象項目名】０００１
【補正方法】変更
【補正の内容】
【０００１】
【発明の属する技術分野】
本発明は、記録データに基づいて被記録媒体に画像を記録する記録装置と、その記録装置を制御する制御装置と、を含む記録システムに関するものである。また本発明は、記録データに基づいて画像を記録するための記録装置および記録方法、並びに、記録データに基づいて画像の記録位置を設定するための記録位置設定方法、プログラム、および記憶媒体に関するものである。
【手続補正４】
【補正対象書類名】明細書
【補正対象項目名】０００４
【補正方法】変更
【補正の内容】
【０００４】
本発明の目的は、被記録媒体の指定サイズ以外の種々の大きさの被記録媒体に対しても、任意の位置に画像を記録することができる記録システム、記録装置、記録方法、記録位置設定方法、プログラム、および記憶媒体を提供することにある。
【手続補正５】
【補正対象書類名】明細書
【補正対象項目名】０００５
【補正方法】変更
【補正の内容】
【０００５】
【課題を解決するための手段】
本発明の記録システムは、記録データに基づいて被記録媒体に画像を記録する記録装置と、前記記録装置を制御する制御装置と、を含む記録システムにおいて、前記記録装置に供給される前記被記録媒体のサイズを現実サイズとして入力する入力手段と、前記記録装置または前記制御装置の少なくとも一方に備えられて、前記記録データの大きさに対応する原稿サイズと前記被記録媒体の現実サイズとに基づいて、前記記録データに基づく画像の記録位置を前記被記録媒体の現実サイズの領域内において設定する設定手段と、を備えることを特徴とする。
本発明の記録装置は、記録データに基づいて被記録媒体に画像を記録する記録装置において、前記記録装置に供給される前記被記録媒体のサイズを現実サイズとして入力する入力手段と、前記記録データの大きさに対応する原稿サイズと前記被記録媒体の現実サイズとに基づいて、前記記録データに基づく画像の記録位置を前記被記録媒体の現実サイズの領域内において設定する設定手段と、を備えることを特徴とする。
本発明の記録方法は、記録データに基づいて被記録媒体に画像を記録する記録方法において、前記記録装置に供給される前記被記録媒体のサイズを現実サイズとして入力し、前記記録データの大きさに対応する原稿サイズと前記被記録媒体の現実サイズとに基づいて、前記記録データに基づく画像の記録位置を前記被記録媒体の現実サイズの領域内において設定することを特徴とする。
本発明の記録位置設定方法は、記録データに基づいて被記録媒体に記録する画像の記録位置を設定する記録位置設定方法において、前記記録装置に供給される前記被記録媒体のサイズを現実サイズとして入力し、前記記録データの大きさに対応する原稿サイズと前記被記録媒体の現実サイズとに基づいて、前記記録データに基づく画像の記録位置を前記被記録媒体の現実サイズの領域内において設定することを特徴とする。
本発明のプログラムは、記録データに基づいて被記録媒体に記録する画像の記録位置を設定するためのプログラムであって、前記記録装置に供給される前記被記録媒体のサイズを現実サイズとして入力する工程と、前記記録データの大きさに対応する原稿サイズと前記被記録媒体の現実サイズとに基づいて、前記記録データに基づく画像の記録位置を前記被記録媒体の現実サイズの領域内において設定する工程と、をコンピュータに実行させることを特徴とする。
コンピュータにより読み取り可能な本発明の記憶媒体は、上記のプログラムが格納されたことを特徴とする。